(57)【特許請求の範囲】
【請求項１】
先閉め扉（２）の開動作に伴い出入口の上枠（７）の空洞（７ａ）から開扉方向に突出し、先閉め扉（２）の閉動作に伴い先閉め扉（２）の閉じ切りを後閉め扉（１）の閉じ切りに先行させた後上記空洞（７ａ）内に没するアーム（１０）を備えた閉扉順序調整装置において、アーム（１０）が、両扉（１，２）の境界部であって先閉め扉（２）側に偏った位置にて支軸（９）により上枠（７）に支持され、アーム（１０）の前壁には、支軸（９）に対向する箇所にて切欠部（１０ａ）が形成され、前壁におけるこの切欠部（１０ａ）に隣接する箇所には、閉じ切った先閉め扉（２）に当接する平坦な当接面（１５）が設けられ、上枠（７）におけるアーム（１０）の支軸（９）の位置を両扉（１，２）の開閉方向で調整する支軸位置調整手段（２４，４２）が所定箇所に設けられ、支軸（９）の位置が調整された後にアーム（１０）の当接面（１５）が閉じ切った先閉め扉（２）に当接すると、後閉め扉（１）が開閉されてもアーム（１０）が動かないようにしたことを特徴とする閉扉順序調整装置。
【請求項２】
請求項１に記載の閉扉順序調整装置において、上記空洞（７ａ）内でのアーム（１０）の下方への傾斜を阻止する干渉部（４５ａ，４５ｂ）が、アーム（１０）を枢支する支軸（９）の近傍に設けられたことを特徴とする閉扉順序調整装置。
【発明の詳細な説明】
【０００１】
【発明の属する技術分野】
本発明は、閉扉順序調整装置に関する。
【０００２】
【従来の技術】
特開平１０−１９６２１６号は、観音式防火用扉等における閉扉順序調整装置について開示する。この閉扉順序調整装置は、出入口の上枠に固定される枠体と、鉛直方向に伸びる支軸を介して枠体に連結されるアームと、アームを上枠から前方に突出する方向に付勢するコイルバネと、アームの先端に取り付けられたローラと、アームから突出する突起物とを具備するもので、アームの突起を観音開き扉の閉じた状態にある先閉め扉に当接させてアームを枠体に対して一直線状に保持するようになっている。これにより、先閉め扉を閉じたままで後閉め扉を開閉しても、アームを先閉め扉で揺動しないように支持し、後閉め扉の開閉に伴うアームと先閉め扉との衝突による衝突音の発生を防止しようとする。
【０００３】
【発明が解決しようとする課題】
特開平１０−１９６２１６号の閉扉順序調整装置は、突起物を先閉め扉又はその目板に当接させることによりアームを枠体に対して一直線状に保持する為、扉又は目板に突起物により傷がつきやすく、塗装が剥がれて発錆しやすいという不具合がある。また、アームの表面にはネジの突起があり、アームの外観、意匠を損なうという問題がある。また、突起物がネジで構成されるため、長期の使用の間にネジが回転し不快な音を発生するという問題がある。
【０００４】
また、この閉扉順序調整装置は、アームを枠体に対して垂直な支軸により片持ちで保持するに過ぎないので、使用回数が増えると支軸及び軸受が磨耗し、アームを収納する空洞内でアームが下方に傾斜し垂れ下がって空洞の内壁に引っ掛かる可能性がある。
【０００５】
本発明の目的は、上記問題点を解決することができる閉扉順序調整装置を提供することにある。
【０００６】
【課題を解決するための手段】
上述した課題を解決するために、請求項１に係る発明は、先閉め扉（２）の開動作に伴い出入口の上枠（７）の空洞（７ａ）から開扉方向に突出し、先閉め扉（２）の閉動作に伴い先閉め扉（２）の閉じ切りを後閉め扉（１）の閉じ切りに先行させた後上記空洞（７ａ）内に没するアーム（１０）を備えた閉扉順序調整装置において、アーム（１０）が、両扉（１，２）の境界部であって先閉め扉（２）側に偏った位置にて支軸（９）により上枠（７）に支持され、アーム（１０）の前壁には、支軸（９）に対向する箇所にて切欠部（１０ａ）が形成され、前壁におけるこの切欠部（１０ａ）に隣接する箇所には、閉じ切った先閉め扉（２）に当接する平坦な当接面（１５）が設けられ、上枠（７）におけるアーム（１０）の支軸（９）の位置を両扉（１，２）の開閉方向で調整する支軸位置調整手段（２４，４２）が所定箇所に設けられ、支軸（９）の位置が調整された後にアーム（１０）の当接面（１５）が閉じ切った先閉め扉（２）に当接すると、後閉め扉（１）が開閉されてもアーム（１０）が動かないようにした閉扉順序調整装置を採用する。
【０００７】
また、請求項２に係る発明は、請求項１に記載の閉扉順序調整装置において、上記空洞（７ａ）内でのアーム（１０）の下方への傾斜を阻止する干渉部（４５ａ，４５ｂ）が、アーム（１０）を枢支する支軸（９）の近傍に設けられた閉扉順序調整装置を採用する。
【０００９】
【発明の実施の形態】
以下、本発明に係る閉扉順序調整装置の実施の形態について添付図面を参照して説明する。
【００１０】
＜実施の形態１＞
図１に示すように、建物内の出入口には観音式の防火用扉が設けられる。この観音式の左右の扉１，２は夫々ヒンジ３，４で支持される。また、図示しないが、左右の扉１，２には、自閉機能を有するオートスイングヒンジ、フロアヒンジ、ドアクローザ等が装着される。左右の扉１，２は通常時は開いているが、火災感知器が火災を感知しレリーズが作動すると、左右の扉１，２は拘束を解かれ、オートスイングヒンジ等の自閉機能により自閉しようとする。
【００１１】
この観音式に開閉する左右の扉１，２は、突き当て部の外側と内側に夫々目板５，６を有しているので、内側に目板６を有する右扉２を先閉め扉とし外側に目板５を有する左扉１を後閉め扉として、先閉め扉２が後閉め扉１に先行して閉じ切るように閉扉順序を調整し制御する必要がある。
【００１２】
このような開閉順序の調整のため、扉１，２には図２乃至図５に示すような閉扉順序調整装置が設けられている。
【００１３】
閉扉順序調整装置は、出入口の上枠７に固定される枠体８と、鉛直方向に伸びる支軸９を介して枠体８に連結されるアーム１０と、アーム１０を上枠７から前方に突出する方向に付勢する弾性体と、アーム１０の先端に取り付けられたローラ１１とを具備する。
【００１４】
出入口の上枠７における左右の扉１，２の境界部には、アーム１０等を格納するための空洞７ａが左右方向に伸びるように形成される。枠体８は四角筒状に形成されたフレームであり、空洞７ａ内の先閉め扉２側に横置き状態で嵌め込まれ、上枠７の空洞７ａ内の奥壁に止めネジ１２で固定される。枠体８の前壁には、止めネジ１２を挿入するための挿入穴１３が穿設される。図５に示すように、先閉め扉２の目板６は、アーム１０に干渉しないように、空洞７ａに対向する箇所が切除されている。
【００１５】
アーム１０は細長い中空筒体望ましくは四角筒体として構成される。アーム１０の先端には、後閉め扉１に当接するローラ１１が回転自在に軸支される。アーム１０の後端は空洞７ａ内に収納された枠体８のブラケット部に支軸９を介し水平面上で回動自在に支持される。枠体８のブラケット部及び支軸９は、左右の扉１，２の境界部であって先閉め扉２側に偏った位置に配置される。支軸９には弾性体であるねじりコイルバネ１４のコイル部が巻き付けられ、ねじりコイルバネ１４の両片が枠体８とアーム１０とに係止される。これにより、左右の扉１，２が開かれ、アーム１０が先閉め扉２による拘束から解放されると、図１に示すようにアーム１０は支軸９を支点にして空洞７ａ内から空洞７ａ外へと回動する。
【００１６】
また、アーム１０の後端における前壁には、支軸９に対向する箇所にて切欠部１０ａが形成され、前壁におけるこの切欠部１０ａに隣接する箇所が閉じ切った先閉め扉２に当接する平坦な当接面１５とされる。アーム１０は、この当接面１５が空洞７ａ外に多少突出し、先閉め扉２が閉じ切る直前に先閉め扉２の背面パネルが当接面１５に接触するような状態で、支軸９により枠体８に連結される。これにより、先閉め扉２が閉じ切ると、先閉め扉２の背面パネルがアーム１０の当接面１５に当接し、アーム１０は支軸９を支点に空洞７ａ内へと回動し空洞７ａ内に没した後も図２に示すようにさらに空洞７ａの奥へと微小角度だけ回動する。
【００１７】
この閉扉順序調整装置は、アーム１０が空洞７ａ外へと回動した時の角度であるアーム開き角度を調整するためのアーム開き角度調整手段を備える。
【００１８】
アーム開き角度調整手段は、アーム１０側のストッパ片１６と、枠体８に取り付けられる調整片１７とを有する。
【００１９】
ストッパ片１６は、アーム１０の上記切欠部１０ａにおいて切欠部１０ａの近傍の両縁を折り曲げることによって形成され、調整片１７に対向する縁を備える。
【００２０】
また、調整片１７は、枠体８内に止めピン１８，１９で固定される保持体２０に調整ネジ２１を介して保持される。すなわち、空洞７ａを水平に横断するように伸びる案内溝が保持体２０内に形成され、案内溝内に調整片１７がスライド可能に挿入される。そして、調整ネジ２１のネジ軸２１ａが案内溝の伸び方向に突出して調整片１７に螺合し、ネジ頭２１ｂが保持体２０の扉１，２側に形成された空所内に保持される。ネジ軸２１ａには圧縮コイルバネ２２が巻き付けられ、圧縮コイルバネ２２の両端が調整片１７と保持体２０に夫々接触する。圧縮コイルバネ２２の圧縮作用により、調整ネジ２１と調整片１７は空洞７ａの奥の方へと付勢され、ネジ頭２１ｂが空所内に拘束されることにより調整片１７は空洞７ａ内において定位置に留まる。
【００２１】
調整ネジ２１のネジ頭２１ｂに対応する枠体８の前壁には、操作穴２３が穿設される。操作穴２３からドライバ等の工具を差し込み、調整ネジ２１を回すことができる。
【００２２】
このアーム開き角度調整手段により、アーム１０の開き角度θを調整するには、調整ネジ２１を回して調整片１７を案内溝内でスライドさせ、調整片１７を所望の箇所に停止させる。そこで、扉１，２が開かれることによりアーム１０の拘束が解かれると、ねじりコイルバネ１４の作用でアーム１０が支軸９を支点に空洞７ａ外へと回動し、ストッパ片１６が調整片１７に当接することにより、アーム１０は調整後の開き角度で停止する。
【００２３】
次に、上記構成の閉扉順序調整装置の作用を説明する。
【００２４】
左右の扉１，２が開かれた状態では、アーム１０がねじりコイルバネ１４の作用で空洞７ａ外へと回動し、所定の開き角度θの位置に停止している。
【００２５】
火災報知器の作動等で開状態にある扉１，２の拘束が解かれ、左右の扉１，２がドアクローザ等の作用により閉動作すると、後閉め扉１がアーム１０の先端のローラ１１に当たって一時停止し、先閉め扉２の閉扉を優先させる。後閉め扉１をアーム１０で適正に停止させるには、アーム１０と後閉め扉１とが略直角に交差するようにアーム１０の開き角度θをセットするのが望ましいが、このアーム１０の開き角度θの調整は調整ネジ２１を回すことにより行うことができる。調整ネジ２１を回して調整片１７を所望位置に停止させることによりストッパ片１６との接触位置を変更し、これによりアーム１０の開き角度θが無段階で加減される。
【００２６】
先閉め扉２が後閉め扉１に先行して閉じる際、アーム１０の中間部に先閉め扉２の角が当たり、アーム１０を空洞７ａ内へと回動させる。先閉め扉２が閉じ切ると、アーム１０の拘束から解かれた後閉め扉１がそれから暫くして閉じ切る。
【００２７】
このように、アーム１０が先閉め扉２の閉動作に伴い先閉め扉２の閉じ切りを後閉め扉１の閉じ切りに先行させた後上記空洞７ａ内に没するので、左右の扉１，２は目板５，６による干渉を受けることなく円滑に閉じる。
【００２８】
また、先閉め扉２が閉じ切る際、その背面パネルがアーム１０の当接面１５である広い面積部分に当接する。このため、先閉め扉２の背面パネルに傷が付かない。
【００２９】
また、アーム１０はその当接面１５に先閉め扉２が当接することにより、後閉め扉１が開閉してもアーム１０が動かないように空洞７ａ内に格納される。このため、先閉め扉２を閉じたまま後閉め扉１を開閉しても、アーム１０は先閉め扉２に押さえられた静止状態を保持し後閉め扉１の背面パネルへの衝突が回避される。
【００３０】
＜実施の形態２＞
図６乃至図１０に示すように、この実施の形態２に係る閉扉順序調整装置は、アーム１０の支軸９の位置を調整するための支軸位置調整手段を備えた点で実施の形態１の閉扉順序調整装置と相違している。
【００３１】
すなわち、支軸９を保持する支軸保持具２４がアーム１０の中空内に挿入され、この支軸保持具２４が支軸９に平行に伸びる支点軸２５を介しアーム１０に回動自在に取り付けられている。また、図８に示すように、支軸９が支持されるアーム１０の軸穴２６は空洞７ａを水平に横断する方向に伸びる長穴として形成される。このため、支軸保持具２４が支点軸２５を支点にして回動すると、支軸９が長穴である軸穴２６内を移動しうる。
【００３２】
また、図６、図９及び図１０に示すように、支軸保持具２４の支点軸２５を中心にした支軸９と反対側には、軸穴２６と略平行に伸びる二本の調整ネジ２７，２８が螺合する。一方の調整ネジ２７の先端はアーム１０の背壁内面に当たり、他方の調整ネジ２８のネジ頭はアーム１０の前壁内面に当たっている。アーム１０の前壁には各調整ネジ２７，２８のネジ頭に対応して操作穴２９，３０が穿設される。操作穴２９，３０からドライバ等の工具を差し込み、調整ネジ２７，２８を螺進退させることで、図６及び図９に示すように、支軸保持具２４を支点軸２５の周りに回動させ、支軸９の位置をアーム１０の長手方向に伸びる中心線上に置いたり中心線から偏った位置に置いたりすることができる。
【００３３】
このように、調整ネジ２７，２８を操作して支軸９の偏心量を加減することにより、先閉め扉２がアーム１０の当接面１５に当接する位置を空洞７ａの横断方向で任意に調整することができる。これにより、先閉め扉２を閉じた状態での後閉め扉１の開閉に伴うアーム１０と先閉め扉２との衝突が適正に防止される。
【００３４】
＜実施の形態３＞
図１１に示すように、この実施の形態３に係る閉扉順序調整装置は、実施の形態２の閉扉順序調整装置における支軸位置調整手段とは異なる構成の支軸位置調整手段を備えている。
【００３５】
すなわち、実施の形態２では二本の調整ネジ２７，２８で支軸９の偏芯量を調整しているが、この実施の形態３では、アーム１０の背壁内面にネジ軸先端が当接する一方の調整ネジ２７をそのまま用い、アーム１０の前壁内面にネジ頭が当接する他方の調整ネジ２８に代えて弾性部材である圧縮コイルばね３１を用いている。アーム１０の前壁には一方の調整ネジ２７のネジ頭に対応して操作穴２９が穿設される。操作穴２９からドライバ等の工具を差し込み、調整ネジ２７を螺進退させると共に圧縮コイルばね３１を伸縮させることで、支軸保持具２４を支点軸２５の周りに回動させ、支軸９の位置をアーム１０の長手方向に伸びる中心線上に置いたり中心線から偏った位置に置いたりすることができる。
【００３６】
このように、調整ネジ２７を操作して支軸９の偏心量を加減することにより、先閉め扉２がアーム１０の当接面１５に当接する位置を空洞７ａの横断方向で任意に調整することができる。これにより、先閉め扉２を閉じた状態での後閉め扉１の開閉に伴うアーム１０と先閉め扉２との衝突が適正に防止される。
【００３７】
＜実施の形態４＞
図１２に示すように、この実施の形態４に係る閉扉順序調整装置は、実施の形態２の閉扉順序調整装置における支軸位置調整手段とは異なる構成の支軸位置調整手段を備えている。
【００３８】
すなわち、実施の形態２では二本の調整ネジ２７，２８で支軸９の偏芯量を調整しているが、この実施の形態４では、アーム１０の背壁にネジ軸が当接する一方の調整ネジ２７のネジ軸をアーム１０の背壁に係止手段により回動自在に係止している。係止手段として、この実施の形態４では止めリング３２を用いている。止めリング３２としてはＣ型リングのほか、Ｅ型リングを用いることができ、また、係止手段として止めリング３２のほかカシメ等を用いることも可能である。調整ネジ２７がアーム１０に連結されていることから、実施の形態２におけるアーム１０の前壁にネジ頭が当接する他方の調整ネジ２８は省略されている。アーム１０の前壁には調整ネジ２７のネジ頭に対応して操作穴２９が穿設される。操作穴２９からドライバ等の工具を差し込み、調整ネジ２７を回すことで、支軸保持具２４を支点軸２５の周りに回動させ、支軸９の位置をアーム１０の長手方向中心線上に置いたり中心線から偏った偏心位置に置いたりすることができる。
【００３９】
このように、調整ネジ２７を操作して支軸９の偏心量を加減することにより、先閉め扉２がアーム１０の当接面１５に当接する位置を空洞７ａの横断方向で任意に調整することができる。これにより、先閉め扉２を閉め切った状態での後閉め扉１の開閉に伴うアーム１０と先閉め扉２との衝突が適正に防止される。
【００４０】
＜実施の形態５＞
図１３及び図１４に示すように、この実施の形態５に係る閉扉順序調整装置は、実施の形態２の閉扉順序調整装置における支軸位置調整手段とは異なる構成の支軸位置調整手段を備えている。
【００４１】
すなわち、実施の形態５では、支軸位置調整手段として、枠体８を上枠７に固定するための止めネジ１２と、保持体２０に形成されたリブ２０ａと枠体８の背壁とを上枠７の空洞７ａの奥壁に向かって貫通しリブ２０ａのネジ穴に螺合する加減ネジ３３とを用いている。
【００４２】
加減ネジ３３のネジ軸の先端は上枠７の空洞７ａの奥壁に当接し、ネジ頭は枠体８の前壁内面に対向している。枠体８の前壁には、加減ネジ３３のネジ頭に対応して操作穴３４が穿設される。
【００４３】
枠体８の前壁の各種操作穴３４，１３からドライバ等の工具を差し込んで加減ネジ３３と止めネジ１２を回すことにより、枠体８を上枠７の奥壁から浮き上がらせることで、支軸９を空洞７ａの横断方向で位置変更し、先閉め扉２がアーム１０の当接面１５に当接する位置を任意に調整することができる。これにより、先閉め扉２を閉め切った状態での後閉め扉１の開閉に伴うアーム１０と先閉め扉２との衝突を防止することができる。
【００４４】
＜実施の形態６＞
図１５乃至図２０に示すように、この実施の形態６に係る閉扉順序調整装置は、実施の形態１の閉扉順序調整装置におけるアーム開き角度調整手段とは異なる構成のアーム開き角度調整手段を備える。
【００４５】
このアーム開き角度調整手段は、アーム１０の支軸９に調整板３５が回動可能に取り付けられ、調整板３５には突起３５ａが設けられ、アーム１０が支軸９の周りを回転すると、突起３５ａが枠体８の背壁に当接可能である。調整板３５における突起３５ａと反対側の箇所にはピン３７が支軸９と平行に固定され、このピン３７が、移動体３８に形成された支軸９と交差する向きに伸びる長穴３６に挿入される。移動体３８にはアーム１０を水平に横断する方向に伸びる調整ネジ３９が螺合し、調整ネジ３９はアーム１０の内部に固定される固定体４０に回転可能に保持される。すなわち、調整ネジ３９はそのネジ頭３９ａが固定体４０とアーム１０の前壁との間に挟まれ、アーム１０上の定位置で回転のみ可能である。アーム１０の前壁にはネジ頭３９ａに対応して操作穴４１が穿設される。
【００４６】
このアーム開き角度調整手段により、アーム１０の開き角度θを調整するには、調整ネジ３９を回して移動体３８をネジ軸３９ｂ上で移動させ、ピン３７及び長穴３６を介して調整板３５を支軸９上で回動させ、所望の箇所に停止させる。そこで、扉１，２が開かれアーム１０の拘束が解かれると、ねじりコイルバネ１４の作用でアーム１０が支軸９を支点に空洞７ａ外へと回動し、調整板３５の突起３５ａが枠体８の背壁に当接したところでアーム１０が停止する。これにより、アーム１０は調整された開き角度θだけ開くこととなる。
【００４７】
また、この実施の形態６に係る閉扉順序調整装置は、実施の形態２の閉扉順序調整装置における支軸位置調整手段とは異なる構成の支軸位置調整手段を備える。
【００４８】
この支軸位置調整手段は、上枠７の奥壁に固定されたベース４２と、ベース４２に支軸９と平行に伸びる枢軸４３を介し連結された枠体８と、ベース４２に対し枠体８を回動調節する調整ネジ２７，２８とを具備する。
【００４９】
ベース４２はブロック体であり、固定ネジ１２により上枠７の奥壁に固定される。ベース４２を当初より上枠７と一体的に形成することも可能である。
【００５０】
枠体８は枢軸４３により反支軸側においてベース４２に連結される。これにより、枠体８は枢軸４３を支点に図１９に示すように反時計方向に回動すると、その支軸９を支えるブラケット部側が空洞７ａの外方向へと移動する。
【００５１】
調整ネジ２７，２８は二本設けられ、双方の調整ネジ２７，２８のネジ軸２７ａ，２８ａがベース４２に螺合する。そして、一方の調整ネジ２７のネジ頭２７ｂは枠体８の前壁に当たり、他方の調整ネジ２８のネジ頭２８ｂは枠体８の前壁に形成された皿穴４４に係止される。枠体８の前壁には一方の調整ネジ２７のネジ頭２７ｂに対応して操作穴２９が穿設される。双方の調整ネジ２７，２８を螺進退させることで、枠体８を枢軸４３の周りに回動させ、支軸９の位置を空洞７ａの横断方向に移動させることができる。
【００５２】
このように、調整ネジ２７，２８を操作して支軸９の位置を調整することにより、先閉め扉２がアーム１０の当接面１５に当接する位置を空洞７ａの横断方向で任意に調整することができる。これにより、先閉め扉２を閉じ切った状態にて後閉め扉１の開閉に伴うアーム１０と先閉め扉２との衝突が適正に防止される。
【００５３】
＜実施の形態７＞
図２１乃至図２３に示すように、この実施の形態７に係る閉扉順序調整装置は、実施の形態１の閉扉順序調整装置の構成に加え、アーム１０が空洞７ａ（図２参照）内で下方に傾斜して空洞７ａの内壁に引っ掛かることがないよう、アーム垂下防止手段を備える。
【００５４】
すなわち、空洞７ａ内でのアーム１０の下方への傾斜を阻止する干渉部としての凸部４５ａ，４５ｂが、アーム１０を枢支する支軸９の近傍に設けられる。この凸部４５ａ，４５ｂは枠体８における上下壁８ｂ，８ａの支軸９側の端部にプレス成形等により形成され、四角筒体であるアーム１０の上下壁１０ｃ，１０ｂに向かって突出する。凸部４５ａ，４５ｂは枠体８の下壁８ａにのみ設けるようにしてもよい。また、枠体８が省略される場合は、凸部４５ａ，４５ｂは空洞７ａの内壁にじかに形成される。
【００５５】
アーム１０は空洞７ａ内に収まったとき、この凸部４５ａ，４５ｂがアーム１０に当接し干渉することで下方への傾斜が阻止され、略水平に保持される。先閉め扉２が開くと、ねじりコイルバネ１４の作用でアーム１０は空洞７ａ外へと付勢されるが、その際アーム１０は下方に傾斜することなくその先端部が空洞７ａ内の下壁から離れている。従って、アーム１０は空洞７ａの内壁に引っ掛かることなく図１中二点鎖線で示すごとく空洞７ａ外へと回動する。
【００５６】
＜実施の形態８＞
図２４乃至図２６に示すように、この実施の形態８に係る閉扉順序調整装置は、実施の形態７とは異なる構成のアーム垂下防止手段を備える。
【００５７】
この干渉部としての凸部は、枠体の上下壁に固着された板状の嵌挿体４８ａ，４８ｂにより形成される。嵌挿体４８ａ，４８ｂは樹脂、ゴム、フェルト、金属板等の材料で作られ、枠体８に接着剤等により固着されてアーム１０の上下壁１０ｂ，１０ｃに向かって突出する。アーム１０が空洞７ａ及び枠体８内に収まりやすくするため、望ましくは図２６に示すように嵌挿体４８ａ，４８ｂの端縁には傾斜面４９が形成される。
【００５８】
嵌挿体４８ａ，４８ｂは枠体８の下壁８ａにのみ取り付けてもよいし、アーム１０側に取り付けるようにしてもよい。
【００５９】
＜実施の形態９＞
図２７乃至図２９に示すように、この実施の形態９に係る閉扉順序調整装置は、実施の形態７とは異なる構成のアーム垂下防止手段を備える。
【００６０】
この干渉部としての凸部４５ｂ，４５ａは、アーム１０の上下壁１０ｃ，１０ｂにエンボス成形等により形成され、枠体８の上下壁８ｂ，８ａに向かって突出する。凸部４５ａ，４５ｂはアーム１０の下壁１０ｂにのみ設けるようにしてもよい。また、上下の凸部４５ｂ，４５ａのうち一方をアーム１０側に他方を枠体８側に設けるようにしてもよい。
【００６１】
＜実施の形態１０＞
図３０乃至図３３に示すように、この実施の形態１０に係る閉扉順序調整装置は、実施の形態９とは異なる構成のアーム垂下防止手段を備える。
【００６２】
すなわち、実施の形態９における凸部がネジ棒５０により形成される。ネジ棒５０に螺合するブロック状のナット５１がアーム１０の中空内に挿入されカシメ、接着剤等により固定される。アーム１０の上下壁１０ｃ，１０ｂにはナット５１のネジ穴に対応してネジ棒５０を挿入する挿入穴５２ｂ，５２ａが穿設され、ナット５１に螺合したネジ棒５０の下端が下側の挿入穴５２ａから枠体８の下壁８ａに向かって突出する。このネジ棒５０の下端が枠体８の下壁８ａに当接し干渉することで、アーム１０の垂れ下がりが防止される。また、ネジ棒５０の端は平滑な曲面に仕上げられ、そのため図３１のごとく空洞７ａ外に突出したアーム１０が図３０のごとく空洞７ａ内に復帰する際、ネジ棒５０の下端が枠体８の下壁８ａ上を滑らかにスライドする。
【００６３】
なお、扉１，２（図１参照）の左右の勝手を変更する場合は、ネジ棒５０を反対側の挿入穴５２ｂから突出させることで対処可能である。
【００６４】
【発明の効果】
請求項１に係る発明によれば、先閉め扉（２）の開動作に伴い出入口の上枠（７）の空洞（７ａ）から開扉方向に突出し、先閉め扉（２）の閉動作に伴い先閉め扉（２）の閉じ切りを後閉め扉（１）の閉じ切りに先行させた後上記空洞（７ａ）内に没するアーム（１０）を備えた閉扉順序調整装置において、アーム（１０）が、両扉（１，２）の境界部であって先閉め扉（２）側に偏った位置にて支軸（９）により上枠（７）に支持され、アーム（１０）の前壁には、支軸（９）に対向する箇所にて切欠部（１０ａ）が形成され、前壁におけるこの切欠部（１０ａ）に隣接する箇所には、閉じ切った先閉め扉（２）に当接する平坦な当接面（１５）が設けられ、上枠（７）におけるアーム（１０）の支軸（９）の位置を両扉（１，２）の開閉方向で調整する支軸位置調整手段（２４，４２）が所定箇所に設けられ、支軸（９）の位置が調整された後にアーム（１０）の当接面（１５）が閉じ切った先閉め扉（２）に当接すると、後閉め扉（１）が開閉されてもアーム（１０）が動かないようにした閉扉順序調整装置であり、先閉め扉が閉じるとアームが先閉め扉に押されて空洞内に収納され、アームで規制されていた後閉め扉が先閉め扉に引き続いて閉じ、両扉が閉じた状態ではアームが先閉め扉に当接し空洞内に押されているので、後閉め扉を開いてもアームは動作せず、アームの先閉め扉に対する衝突が防止される。また、アームが先閉め扉に当接面で当接するので、先閉め扉を傷付けず、塗装の剥がれによる錆付きも防止されると共に、アーム表面からネジ等が突出しないので、アームの意匠性が高まり見栄えが向上する。
【００６５】
また、本発明によれば、アームの支軸の位置を調整するための支軸位置調整手段を備えたことから、支軸の位置調整により、先閉め扉がアームの当接面に当接する位置を任意に調整することができるため、各部材の精度を上げることなく後閉め扉の開閉に伴うアームと先閉め扉との衝突を防止することができ、また、現場での施工性を向上させることができる。
【００６６】
また、本発明によれば、上記空洞内でのアームの下方への傾斜を阻止する干渉部が、アームを枢支する支軸の近傍に設けられたことから、アームを収納する空洞内でのアームの下方への垂れ下がりが防止され、従ってアームの先端部が空洞の内壁に引っ掛かる等の不具合が解消され、先閉め扉を開ける場合はアームは確実に空洞外に突出する。また、アームが支軸に対して捩れたりしないのでアームを支える支軸及び軸受の磨耗が低減し、アームの円滑な回動が維持される。
【図面の簡単な説明】
【図１】本発明の実施の形態１に係る閉扉順序調整装置を扉と共に示す平面図である。
【図２】図１中、閉扉順序調整装置の拡大断面図である。
【図３】図２中、要部の拡大図である。
【図４】図２中、要部の正面図である。
【図５】図２中、Ｖ−Ｖ線矢視断面図である。
【図６】本発明の実施の形態２に係る閉扉順序調整装置のアームの部分切欠平面図である。
【図７】アームの縦断面図である。
【図８】アーム本体の水平断面図である。
【図９】支軸位置調整機構の作動状態を示すアームの部分切欠平面図である。
【図１０】図９に示すアームを備えた閉扉順序調整装置の水平断面図である。
【図１１】本発明の実施の形態３に係る閉扉順序調整装置のアームの部分切欠平面図である。
【図１２】本発明の実施の形態４に係る閉扉順序調整装置のアームの部分切欠平面図である。
【図１３】本発明の実施の形態５に係る閉扉順序調整装置を扉と共に示す平面図である。
【図１４】図１３中、要部の拡大図である。
【図１５】本発明の実施の形態６に係る閉扉順序調整装置を扉と共に示す平面図である。
【図１６】図１５中、要部の拡大図である。
【図１７】
図１５中、ＸＶＩＩ−ＸＶＩＩ線矢視断面図である。
【図１８】閉扉順序調整装置の縦断面図である。
【図１９】支軸位置調整機構の作動状態を示す閉扉順序調整装置の水平断面図である。
【図２０】アームが空洞外に突出した状態を示す閉扉順序調整装置の水平断面図である。
【図２１】本発明の実施の形態７に係る閉扉順序調整装置の要部を示す水平断面図である。
【図２２】図２１中、ＸＸＩＩ−ＸＸＩＩ線矢視断面図である。
【図２３】図２１中、ＸＸＩＩＩ−ＸＸＩＩＩ線矢視断面図である。
【図２４】本発明の実施の形態８に係る閉扉順序調整装置の要部を示す水平断面図である。
【図２５】図２４中、ＸＸＶ−ＸＸＶ線矢視断面図である。
【図２６】図２４中、ＸＸＶＩ−ＸＸＶＩ線矢視断面図である。
【図２７】本発明の実施の形態９に係る閉扉順序調整装置の要部を示す水平断面図である。
【図２８】図２７中、ＸＸＶＩＩＩ−ＸＸＶＩＩＩ線矢視断面図である。
【図２９】図２７中、ＸＸＩＸ−ＸＸＩＸ線矢視断面図である。
【図３０】本発明の実施の形態１０に係る閉扉順序調整装置の要部を示す水平断面図である。
【図３１】図３０におけるアームが空洞外に回動した状態を示す水平断面図である。
【図３２】図３０中、ＸＸＸＩＩ−ＸＸＶＩＩ線矢視断面図である。
【図３３】図３０中、ＸＸＸＩＩＩ−ＸＸＸＩＩＩ線矢視断面図である。
【符号の説明】
１…後閉め扉
２…先閉め扉
７…上枠
７ａ…空洞
９…支軸
１０…アーム
１５…当接面
１７…調整片
２４…支軸保持具
４２…ベース
４５ａ，４５ｂ…凸部
【図１】
0003764871.tif 000002
【図２】
0003764871.tif 000003
【図３】
0003764871.tif 000004
【図４】
0003764871.tif 000005
【図５】
0003764871.tif 000006
【図６】
0003764871.tif 000007
【図７】
0003764871.tif 000008
【図８】
0003764871.tif 000009
【図９】
0003764871.tif 000010
【図１０】
0003764871.tif 000011
【図１１】
0003764871.tif 000012
【図１２】
0003764871.tif 000013
【図１３】
0003764871.tif 000014
【図１４】
0003764871.tif 000015
【図１５】
0003764871.tif 000016
【図１６】
0003764871.tif 000017
【図１７】
0003764871.tif 000018
【図１８】
0003764871.tif 000019
【図１９】
0003764871.tif 000020
【図２０】
0003764871.tif 000021
【図２１】
0003764871.tif 000022
【図２２】
0003764871.tif 000023
【図２３】
0003764871.tif 000024
【図２４】
0003764871.tif 000025
【図２５】
0003764871.tif 000026
【図２６】
0003764871.tif 000027
【図２７】
0003764871.tif 000028
【図２８】
0003764871.tif 000029
【図２９】
0003764871.tif 000030
【図３０】
0003764871.tif 000031
【図３１】
0003764871.tif 000032
【図３２】
0003764871.tif 000033
【図３３】
0003764871.tif 000034